(57)【要約】【課題】一対のスライダの前後進に伴うローラの昇降動作時の衝突音を低減できる「ディスクプレーヤ」を提供すること。【解決手段】ベース部材１の両側に前後進可能に配設した駆動側スライダ１２と従動側スライダ１３の動きをリンク機構１６によって同期させ、これら両スライダ１２，１３のカム孔１２ｂ，１３ｂ内をローラブラケット５のピン５ｂが相対移動することでローラ４を昇降動作させてディスクＤを自動搬送するローディング方式を採用し、ピン５ｂがカム孔１２ｂ，１３ｂ内を移行してローラ４を昇降動作させるときだけ、従動側スライダ１３に形成した可動側当接部１３ｅをベース部材１に形成した固定側当接部１ａに弾接させて従動側スライダ１３に弾性負荷を付与するようにした。【選択図】図７
2007310928.tif 000002
【特許請求の範囲】
【請求項１】
シャーシと、このシャーシの両側に前後進可能に配設された一対のスライダと、これらスライダのいずれか一方を駆動側スライダとして移動させるモータと、この駆動側スライダともう一方の従動側スライダとの移動位置を同期させるリンク機構と、前記シャーシに設けられたガイド部材の下面に対向配置されたローラと、このローラを支持して前記ガイド部材に近接する方向へ弾性付勢されたローラブラケットとを備え、前記ローラブラケットの両側から突出するピンを前記両スライダに形成したカム孔に係合させることにより、ディスクの搬送時は前記ローラを上昇させて前記ガイド部材との間で該ディスクを挟持し、ディスクのプレイ時は前記ローラを下降させて該ディスクから離反させるようにしたディスクプレーヤにおいて、
前記従動側スライダに対して選択的に弾性負荷を付与可能な負荷付与手段を設け、前記ローラの昇降動作時のみ前記従動側スライダに前記負荷付与手段から弾性負荷が付与されるように構成したことを特徴とするディスクプレーヤ。
【請求項２】
請求項１の記載において、前記負荷付与手段が前記従動側スライダに設けられた可動側当接部と前記シャーシの側壁に設けられた固定側当接部とからなると共に、これら可動側当接部と固定側当接部の少なくとも一方を弾性変形可能となし、前記ローラの昇降動作時に前記可動側当接部を前記固定側当接部に弾接させて前記弾性負荷を発生させるようにしたことを特徴とするディスクプレーヤ。
【請求項３】
請求項２の記載において、前記可動側当接部と前記固定側当接部の対向面の少なくとも一方にテーパを付けたことを特徴とするディスクプレーヤ。
【発明の詳細な説明】
【技術分野】
【０００１】
本発明は、ＣＤやＤＶＤ等のディスクを記録および／または再生するディスクプレーヤに係り、特に、シャーシの両側に配設された一対のスライダの前後進移動によってローラを昇降動作させ、このローラによってディスクを自動搬送するようにしたディスクプレーヤに関するものである。
【背景技術】
【０００２】
一般的に、車載用等のディスクプレーヤには、ローラブラケットに支持されたローラをディスクに接離させるディスク搬送機構や、クランプアームに支持されたクランパをディスクに接離させるクランプ機構や、光ピックアップ等を搭載したシャーシを枠体に対してロック／アンロック状態に切り換えるロック切換機構等が備えられており、これら各種機構の構成部品はディスクの挿入／排出状態や搬送位置に応じて適宜動作されるようになっている。従来より、このような構成部品の一部または前部をシャーシの両側に配設した一対のスライダによって動作させ、これら両スライダの前後進位置をリンク機構によって同期させるようにした技術が知られている（例えば、特許文献１参照）。
【０００３】
従来のディスクプレーヤに備えられたリンク機構を説明すると、図８に示すように、シャーシ（図示省略）の左右両側壁には一対のスライダ１００，１０１が前後進可能に支持されており、これら両スライダ１００，１０１のうち、左側のスライダ１００は図示せぬモータを駆動源として動作される駆動側スライダとなっている。この駆動側スライダ１００の動きは回動レバー１０２，１０３と連結アーム１０４によって構成されるリンク機構を介して右側のスライダ１０１に伝達され、このスライダ１０１が従動側スライダとなっている。回動レバー１０２，１０３はＬ字状に形成されており、その中央部はシャーシの底面に回転可能に支持されている。また、連結アーム１０４はシャーシの底面に左右方向へ移動可能に支持されており、その左右両端はそれぞれ回動レバー１０２，１０３に回転可能に連結されている。さらに、左側の回動レバー１０２は駆動側スライダ１００の後端部に回転可能に連結され、右側の回動レバー１０３は従動側スライダ１０１の後端部に回転可能に連結されている。図９に示すように、従動側スライダ１０１にはカム孔１０５が形成されており、駆動側スライダ１００にも同様のカム孔が形成されており、これらカム孔１０５にピン１０６が挿入されている。このピン１０６はディスク搬送機構の構成部品であるローラブラケットの両側から突出しており、図示省略されているが、ローラブラケットにはシャーシの天面側に配設されたガイド部材の下面に対向するローラが回転可能に支持されている。また、ローラブラケットとシャーシ間にはスプリング等からなるばね部材の両端が掛止されており、ローラはこのばね部材によってガイド部材と近接する方向へ弾性付勢されている。
【０００４】
このような構成において、駆動側スライダ１００がモータを駆動源として図８の矢印Ａ方向へ前進すると、リンク機構の回動レバー１０２と連結アーム１０４および回動レバー１０３がそれぞれ矢印ａ１，ａ２，ａ３方向へ回転またはスライドし、従動側スライダ１０１が駆動側スライダ１００に同期して矢印Ａ方向へ前進する。これとは逆に駆動側スライダ１００がモータを駆動源として矢印Ｂ方向へ後進すると、リンク機構の回動レバー１０２と連結アーム１０４および回動レバー１０３がそれぞれ矢印ｂ１，ｂ２，ｂ３方向へ回転またはスライドし、従動側スライダ１０１が駆動側スライダ１００に同期して矢印Ｂ方向へ後進する。そして、このように同期して前後進する両スライダ１００，１０１のカム孔１０５にディスク搬送機構のピン１０６が挿入されているため、両スライダ１００，１０１の移動位置に応じてローラを昇降動作させることができる。
【０００５】
すなわち、ディスクが装置本体内に挿入されていないイジェクト時（待機状態）において、ピン１０６はカム孔１０５の上段位置にあり、ローラはばね部材からの弾発力を受けてガイド部材の下面に圧着されている。この状態でディスクが装置本体内に挿入されると、ローラとガイド部材間に挟持されたディスクが該ローラの回転力によって装置本体内へ搬送され、ディスクがプレイ位置の手前側まで搬送されると、前述したモータの駆動力によって両スライダ１００，１０１が同期して矢印Ｂ方向へ後進する。これによりピン１０６がカム孔１０５内を上段位置から下段位置へ移行するため、ローラブラケットがばね部材の弾発力に抗して下方へ回動し、ローラがディスクの下面から離れてプレイ状態となる。また、再生等が完了したディスクを排出（イジェクト）するときには、上記と逆の動作が行われ、両スライダ１００，１０１が同期して矢印Ａ方向へ前進する。この場合、ピン１０６がカム孔１０５内を下段位置から上段位置へ移行するため、それに伴ってローラブラケットがばね部材の弾発力を受けて上方へ回動する。これによりローラがディスクの下面に当接して、ローラとガイド部材間にディスクを挟持するため、挿入時と逆向きのローラの回転力によってディスクが装置本体外のイジェクト位置へ搬送される。
【特許文献１】特開２００３−３３１４９４号公報
【発明の開示】
【発明が解決しようとする課題】
【０００６】
前述した従来技術のように、一対のスライダ１００，１０１に形成されたカム孔１０５を利用してローラの昇降動作を行うディスクプレーヤでは、ローラがディスクの下面から離れているプレイ状態において、ピン１０６はカム孔１０５の下段位置にあってローラブラケットをばね部材の弾発力に抗して下方へ回動しているため、ローラは搬送時に必要とされるディスクへの圧着力が押さえつけられた状態で下方位置に保持されている。この状態で両スライダ１００，１０１が矢印Ａ方向へ移動すると、ピン１０６がカム孔１０５の下段位置から傾斜部を通って上段位置へ移行するため、それに伴って上昇するローラがばね部材の弾発力を受けてディスクの下面に圧着されてディスクのイジェクト動作が行われる。そして、かかるプレイ状態からイジェクト動作への移行時に、ピン１０６がカム孔１０５の下段位置から傾斜部へ移行することによってプレイ時に押さえつけられていたばね部材の弾発力が一気に開放するため、図９に示すように、この弾発力によってカム孔１０５の傾斜部上辺と直交する方向に大きな押圧力Ｆが作用し、両スライダ１００，１０１にはモータからの矢印Ａ方向への駆動力に押圧力Ｆの水平方向の分力ｆが加わることになる。この場合、モータによって駆動される駆動側スライダ１００はギア列に噛み合っているため、駆動側スライダ１００は上記分力ｆにかかわらずモータの回転量に比例した移動量となるが、駆動側スライダ１００にリンク機構を介して連結された従動側スライダ１０１は、リンク機構が有する部材間の遊び等に起因するガタによって分力ｆの影響を受けてしまい、駆動側スライダ１００よりも従動側スライダ１０１の方が矢印Ａ方向へ先に移動するという先走り動作が発生する。その結果、ローラブラケットの両側から突出するピン１０６が駆動側スライダ１００よりも従動側スライダ１０１の方で早くカム孔１０５の上段位置へ達してしまい、ローラブラケットに支持されたローラをディスクの下面に対して平行な姿勢で当接させることができず、従動側スライダ１０１に近い側のローラの端部がディスクの下面に勢い良く当接して衝突音を発生するという問題があった。
【０００７】
なお、カム孔１０５の上段と下段を繋ぐ傾斜部の勾配を緩やかに長くすれば、上記した押圧力Ｆとその分力ｆが小さくなって従動側スライダ１０１の先走り動作を抑制できるが、両スライダ１００，１０１の前後方向の移動量はメカサイズによる制約を大きく受けているため、限られた移動量の中でローラの昇降量を確保しつつカム孔１０５の傾斜角度を緩やかにすることは困難である。
【０００８】
本発明は、このような従来技術の実情に鑑みてなされたもので、その目的は、一対のスライダの前後進に伴うローラの昇降動作時の衝突音を低減できるディスクプレーヤを提供することにある。
【課題を解決するための手段】
【０００９】
本発明は、リンク機構によって移動位置が同期するように連結された駆動側スライダと従動側スライダに対して、移動範囲の特定区間だけ従動側スライダに選択的に弾性負荷を付与することとした。
【発明の効果】
【００１０】
本発明のディスクプレーヤは、リンク機構を介して連結された駆動側スライダと従動側スライダの前後進移動によってローラを昇降動作させてディスクを自動搬送するというローディング方式を採用し、ローラブラケットの両側から突出するピンが両スライダのカム孔内を移行してローラを昇降動作させるときだけ従動側スライダに弾性負荷を付与するようにしたので、下降位置にあるローラへの弾性付勢力が一気に開放されるプレイ状態からイジェクト動作への移行時に、従動側スライダが駆動側スライダより先に移動してしまうという先走り動作が防止され、ローラの急激な昇降動作を抑制して衝突音を低減することができる。
【発明を実施するための最良の形態】
【００１１】
本発明は、シャーシと、このシャーシの両側に前後進可能に配設された一対のスライダと、これらスライダのいずれか一方を駆動側スライダとして移動させるモータと、この駆動側スライダともう一方の従動側スライダとの移動位置を同期させるリンク機構と、前記シャーシに設けられたガイド部材の下面に対向配置されたローラと、このローラを支持して前記ガイド部材に近接する方向へ弾性付勢されたローラブラケットとを備え、前記ローラブラケットの両側から突出するピンを前記両スライダに形成したカム孔に係合させることにより、ディスクの搬送時は前記ローラを上昇させて前記ガイド部材との間で該ディスクを挟持し、ディスクのプレイ時は前記ローラを下降させて該ディスクから離反させるようにしたディスクプレーヤにおいて、前記従動側スライダに対して選択的に弾性負荷を付与可能な負荷付与手段を設け、前記ローラの昇降動作時のみ前記従動側スライダに前記負荷付与手段から弾性負荷が付与されるように構成した。
【００１２】
このように構成されたディスクプレーヤによれば、ローラの昇降動作時だけ従動側スライダに弾性負荷を付与して前後方向へ動きにくくし、この弾性負荷をイジェクト完了時やディスクのプレイ状態には解除するようにしたので、ローラへの弾性付勢力が一気に開放されるプレイ状態からイジェクト動作への移行時に、従動側スライダが駆動側スライダより先に移動してしまうという先走り動作が防止され、ローラの急激な昇降動作による衝突音を低減することができる。
【００１３】
上記の構成において、前記負荷付与手段が従動側スライダに設けられた可動側当接部とシャーシの側壁に設けられた固定側当接部とからなると共に、これら可動側当接部と固定側当接部の少なくとも一方を弾性変形可能となし、前記ローラの昇降動作時に前記可動側当接部を前記固定側当接部に弾接させて前記弾性負荷を発生させるようにすると、簡単な構成で負荷付与手段を実現できて好ましい。
【００１４】
この場合において、可動側当接部と固定側当接部の対向面の少なくとも一方にテーパを付けると、可動側当接部と固定側当接部との弾接が解除されるときに、弾性負荷の反力がテーパによって従動側スライダの移動方向への補助力に変換されるため、ディスクのローディング動作からプレイ状態へスムーズに移行させることができて好ましい。
【実施例】
【００１５】
実施例について図面を参照して説明すると、図１は本発明の実施例に係る車載用ディスクプレーヤを表面側から見て示す斜視図、図２は該ディスクプレーヤを裏面側から見て示す斜視図、図３は該ディスクプレーヤに備えられるスライダとリンク機構の説明図、図４は該ディスクプレーヤに備えられる従動側スライダの側面図、図５は該ディスクプレーヤに備えられる負荷付与手段の要部斜視図、図６と図７は該負荷付与手段の動作説明図である。
【００１６】
本実施例はディスクプレーヤの一例としての車載用ＣＤプレーヤへ適用したものであり、図１と図２に示すように、このＣＤプレーヤはシャーシの構成部材である合成樹脂製のベース部材１を備えている。図示省略されてあるが、ベース部材１は本体装置を形成する箱状枠体に複数のダンパ等によって弾性支持されており、この箱状枠体の左右両内壁にはロックピンが突設されている。ベース部材１の手前側上面には上面板２が固定されており、この上面板２の下面に固着された合成樹脂製のガイド部材３とベース部材１の内底面との間にディスクＤの搬送用空間が画成されている。この搬送用空間にはガイド部材３の下面と対向するローラ４が配設されており、ローラ４は後述するモータからの動力によって正逆両方向へ回転駆動されるようになっている。ローラ４はローラブラケット５の一端部に回転可能に支持されており、このローラブラケット５の他端部はベース部材１の左右両側壁に回動可能に軸支されている。ローラブラケット５の中央部手前側には折曲部５ａが形成されており、この折曲部５ａとベース部材１の底面との間に張架されたスプリング６の弾性力により、ローラブラケット５はローラ４をガイド部材３の下面に圧接する方向へ付勢されている。なお、これらガイド部材３とローラ４およびローラブラケット５によってディスク搬送機構が構成されている。
【００１７】
ベース部材１の後壁にはクランプアーム７の左右後端部が回動可能に軸支されており、このクランプアーム７の中央部手前側にはクランパ８が回転可能に支持されている。また、ベース部材１にはスピンドルモータ９や光ピックアップ１０および前述したモータ１１等が搭載されており、このスピンドルモータ９の回転軸にはクランパ８の下面に対向する図示せぬターンテーブルが固着されている。さらに、ベース部材１の左右両側壁の外側には合成樹脂製のスライダ１２，１３が配設されており、これら両スライダ１２，１３はベース部材１の前後方向に移動可能に支持されている。そして、モータ１１からの動力が減速歯車列１４と動力切換機構１５を介して一方のスライダ１２に伝達され、このスライダ１２の動きが後述するリンク機構１６を介して他方のスライダ１３に伝達されるようになっている。すなわち、図１で左側（図２で右側）に示される一方のスライダはモータ１１を駆動源として動作される駆動側スライダ１２であり、図１で右側（図２で左側）に示される他方のスライダは駆動側スライダ１２に同期して動作される従動側スライダ１３となっている。
【００１８】
図３に示すように、前述したリンク機構１６はリンクレバー１７と回動アーム１８とで構成されており、リンクレバー１７はベース部材１の下面に支軸１９を中心として回転可能に支持されている。リンクレバー１７の一端部には円弧状に延びる係合孔１７ａが形成されており、この係合孔１７ａは駆動側スライダ１２の手前側下面に突設されたピン１２ａと係合している。また、リンクレバー１７の他端部には一対の駆動ピン１７ｂが取り付けられており、これら駆動ピン１７ｂの先端は回動アーム１８に係合している。回動アーム１８はベース部材１の側壁に回転可能に支持されており、図４に示すように、回動アーム１８に突設されたピン１８ａは従動側スライダ１３に形成された係合孔１３ａに挿入されている。図３（ａ）は両スライダ１２，１３が前進方向の末端位置まで移動した状態を示しており、この状態で駆動側スライダ１２がモータ１１を駆動源として矢印Ｂ方向へ後進すると、ピン１２ａと係合孔１７ａとの係合によってリンクレバー１７が支軸１９を中心に反時計方向に回転し、それに伴ってリンクレバー１７の駆動ピン１７ｂに係合する回動アーム１８が回転する。これにより回動アーム１８のピン１８ａが従動側スライダ１３の係合孔１３ａ内周面を後方側へ押圧するため、従動側スライダ１３が駆動側スライダ１２に同期して矢印Ｂ方向へ後進し、図３（ｂ）に示すように、両スライダ１２，１３は後退方向の末端位置まで移動する。これとは逆に両スライダ１２，１３が図３（ｂ）に示す後退位置にあるときに、駆動側スライダ１２がモータ１１を駆動源として矢印Ａ方向へ前進すると、リンクレバー１７の時計方向の回転に伴って回動アーム１８のピン１８ａが従動側スライダ１３の係合孔１３ａ内周面を前方側へ押圧するため、従動側スライダ１３が駆動側スライダ１２に同期して矢印Ａ方向へ前進し、両スライダ１２，１３は前進方向の末端位置まで移動して図３（ａ）に示す状態となる。
【００１９】
図４に示すように、従動側スライダ１３には係合孔１３ａの他にカム孔１３ｂとロック溝１３ｃおよび突起１３ｄが形成されており、駆動側スライダ１２にも同様のカム孔１２ｂとロック溝１２ｃおよび突起１２ｄが形成されている（図２と図３参照）。両スライダ１２，１３のカム孔１２ｂ，１３ｂにはローラブラケット５の両側壁から突出するピン５ｂが挿入されており、両スライダ１２，１３の前後進に伴ってピン５ｂがカム孔１２ｂ，１３ｂ内を相対移動することにより、ローラブラケット５を回動させてローラ４が昇降動作するようになっている。また、両スライダ１２，１３の前後進に伴ってロック溝１２ｃ，１３ｃが前述した箱状枠体のロックピン（図示省略）と係脱することにより、ベース部材１を箱状枠体に対してロック／アンロック状態に切り換えるロック切換機構が動作される共に、両スライダ１２，１３の前後進に伴って突起１２ｄ，１３ｄがクランプアーム７の両側壁に形成された図示せぬカムに係脱することにより、クランプアーム７を回動させてクランパ８が昇降動作するようになっている。
【００２０】
図１と図５に示すように、従動側スライダ１３の上面には内方へ突出する可動側当接部１３ｅが形成されており、この可動側当接部１３ｅの前後方向両端部には先窄まりなテーパが付けられている。また、従動側スライダ１３に対向するベース部材１の側壁（図示右側）には外方へ突出する固定側当接部１ａが形成されており、この固定側当接部１ａの前後方向両端部にも先窄まりなテーパが付けられている。固定側当接部１ａはベース部材１の側壁に片持ち状に一体形成された弾性腕１ｂの自由端部（先端部）をなすものであり、この弾性腕１ｂによって固定側当接部１ａは弾性変形可能となっている。これら固定側当接部１ａと可動側当接部１３ｅは従動側スライダ１３に選択的に弾性負荷を付与可能な負荷付与手段を構成するものであり、従動側スライダ１３の前後方向の移動範囲における特定区間だけ可動側当接部１３ｅを固定側当接部１ａに弾接させて従動側スライダ１３に弾性負荷を付与し、それ以外は可動側当接部１３ｅを固定側当接部１ａから離反させて弾性負荷を解除するようになっている。
【００２１】
すなわち、図１と図５は両スライダ１２，１３が後退方向の末端位置まで移動したプレイ状態を示しているが、このプレイ状態において可動側当接部１３ｅは固定側当接部１ａから離れて後方位置にあるため、従動側スライダ１３に弾性負荷は付与されていない。そして、かかるプレイ状態から両スライダ１２，１３が同期して矢印Ａ方向へ前進すると、図６に示すように可動側当接部１３ｅの前端が固定側当接部１ａに当接した後、図７に示すように可動側当接部１３ｅが固定側当接部１ａに弾接して該固定側当接部１ａを内側へ押し撓めるため、その反力によって従動側スライダ１３に矢印Ａ方向の動きを妨げる弾性負荷が付与される。なお、両スライダ１２，１３が前進方向の末端位置まで移動するイジェクト完了時において、可動側当接部１３ｅは固定側当接部１ａを通過して前方位置に至るため、従動側スライダ１３に弾性負荷が付与されていない状態となる。
【００２２】
次に、上述のごとく構成されたＣＤプレーヤの動作について説明する。
【００２３】
ディスクＤが本体装置に挿入されていないイジェクト時（待機状態）において、両スライダ１２，１３はベース部材１の最も手前側の前進位置にあり、前述したように、従動側スライダ１３の可動側当接部１３ｅはベース部材１の固定側当接部１ａから離反した前方位置にある。かかるイジェクト時において、ローラブラケット５のピン５ｂはカム孔１２ｂ，１３ｂの上段位置にあり、ローラブラケット５に支持されたローラ４はスプリング６の弾性力を受けてガイド部材３の下面に圧着されている。また、両スライダ１２，１３のロック溝１２ｃ，１３ｃが図示せぬロックピンに係止されており、ベース部材１は箱状枠体に対して固定的に支持されたロック状態となっている。さらに、両スライダ１２，１３の突起１２ｄ，１３ｄがクランプアーム７の図示せぬカムに当接しており、クランプアーム７は上方へ回動してクランパ８がターンテーブルから離反している。
【００２４】
この状態でディスクＤが装置本体内に挿入されると、図示せぬディスク検知手段からの信号に基づいてモータ１１が始動し、このモータ１１の動力が減速歯車列１４を介してローラ４に伝達されるため、ローラ４とガイド部材３間に挟持されたディスクＤが該ローラ４の回転力によって装置本体内へ搬送される。そして、ディスクＤの中心孔がターンテーブル上に至る所定位置まで搬送されると、モータ１１の動力が減速歯車列１４から動力切換機構１５を介して駆動側スライダ１２に伝達されるため、モータ１１を駆動源として駆動側スライダ１２がベース部材１の奥側に向かって後進する。この場合、駆動側スライダ１２の動きはリンク機構１６（リンクレバー１７と回動アーム１８）を介して従動側スライダ１３に伝達されるため、駆動側スライダ１２と従動側スライダ１３は前進位置から後退位置まで同期して移動する。
【００２５】
このようにして両スライダ１２，１３が後退方向の末端位置まで移動する間に、両スライダ１２，１３の突起１２ｄ，１３ｄがカムから離れることにより、クランパ８を支持するクランプアーム７が下方へ回動するため、ディスクＤの中心部がクランパ８とターンテーブル間にクランプされる。また、ローラブラケット５のピン５ｂがカム孔１２ｂ，１３ｂの上段位置から下段位置へ移行するため、ローラブラケット５がスプリング６の弾性力に抗して下方へ回動し、ローラブラケット５に支持されたローラ４がディスクＤの下面から離れる。さらに、両スライダ１２，１３のロック溝１２ｃ，１３ｃとロックピンの係止が解除され、ベース部材１は図示せぬダンパ等によって箱状枠体に弾性的に支持される。これによってプレイ状態となり、スピンドルモータ９を駆動してディスクＤを回転させると共に、光ピックアップ１０をディスクＤの半径方向へ移送すれば再生動作等を行うことができる。
【００２６】
かかるディスクＤのローディング動作からプレイ状態への移行時に、従動側スライダ１３が前進方向の末端位置から矢印Ｂ方向へ所定量後進すると、図７に示すように可動側当接部１３ｅが固定側当接部１ａに弾接して従動側スライダ１３に弾性負荷が印加され、この区間で突起１２ｄ，１３ｄによるクランパ８の下降動作とカム孔１２ｂ，１３ｂによるローラ４の下降動作とが開始する。そして、従動側スライダ１３が矢印Ｂ方向へさらに移動すると、図６に示すように可動側当接部１３ｅが固定側当接部１ａから抜け出して後方位置に達し、従動側スライダ１３への弾性負荷が解除されて図５に示すようにプレイ状態となる。このとき、弾性変形していた固定側当接部１ａが元位置に復帰しようとする反力が両当接部１ａ，１３ｅの端部のテーパによって図６の矢印αで示す補助力に変換されるため、従動側スライダ１３をスムーズにプレイ状態へ移行させることができる。
【００２７】
また、再生等が完了したディスクを排出（イジェクト）するときには、上記と逆の動作が行われ、駆動側スライダ１２と従動側スライダ１３は後退位置から前進位置まで同期して移動する。この場合、両スライダ１２，１３が前進方向の末端位置まで移動する間に、両スライダ１２，１３の突起１２ｄ，１３ｄによってクランプアーム７が上方へ回動するため、クランパ８とターンテーブルによるディスクＤのクランプ動作が解除される。また、ピン５ｂがカム孔１２ｂ，１３ｂの下段位置から上段位置へ移行するため、それに伴って上昇するローラ４がスプリング６の弾性力を受けてディスクＤの下面に圧着されてイジェクト動作が行われる。
【００２８】
かかるプレイ状態からイジェクト動作への移行時に、従動側スライダ１３が図５に示す後退方向の末端位置から矢印Ａ方向へ前進すると、まず図６に示すように可動側当接部１３ｅの前端が固定側当接部１ａに当接し、ついで図７に示すように可動側当接部１３ｅが固定側当接部１ａに弾接して従動側スライダ１３に弾性負荷が印加され、この区間で突起１２ｄ，１３ｄによるクランパ８の上昇動作とカム孔１２ｂ，１３ｂによるローラ４の上昇動作が開始する。このとき、ローラブラケット５のピン５ｂはカム孔１２ｂ，１３ｂの下段位置から傾斜部へ移行し、それに伴ってローラブラケット５を上方へ付勢するスプリング６の弾性力が一気に開放されるため、両スライダ１２，１３にはモータ１１からの矢印Ａ方向への駆動力にカム孔１２ｂ，１３ｂの傾斜部上辺に作用するスプリング６からの押圧力の分力が加わるが、上記弾性負荷によって従動側スライダ１３の動きにブレーキが掛けられているので、従動側スライダ１３が駆動側スライダ１２より先に矢印Ａ方向へ移動する先走り動作は発生しない。したがって、ピン５ｂは両スライダ１２，１３のカム孔１２ｂ，１３ｂ内を同期して上段位置まで移行し、ローラブラケット５に支持されたローラ４をディスクＤの下面に平行な姿勢で当接させることができるため、ローラ４がディスクＤに当接する際の衝突音を低減することができる。
【００２９】
このように本実施例に係るディスクプレーヤでは、リンク機構１６（リンクレバー１７と回動アーム１８）を介して連結された駆動側スライダ１２と従動側スライダ１３の前後進移動によってローラ４を昇降動作させてディスクＤを自動搬送するというローディング方式を採用し、ローラブラケット５の両側から突出するピン５ｂが両スライダ１２，１３のカム孔１２ｂ，１３ｂ内を移行してローラ４を昇降動作させるときだけ、従動側スライダ１３に形成した可動側当接部１３ｅをベース部材１に形成した固定側当接部１ａに弾接させて従動側スライダ１３に弾性負荷を付与するようにしたので、プレイ状態からイジェクト動作への移行時に、従動側スライダ１３が駆動側スライダ１２より先に移動してしまうという先走り動作が防止され、ローラ４をディスクＤの下面に平行な姿勢で当接させて衝突音を低減することができる。しかも、プレイ状態やイジェクト完了時（待機状態）では、可動側当接部１３ｅを固定側当接部１ａから離して従動側スライダ１３に対する弾性負荷が解除されているため、固定側当接部１ａと可動側当接部１３ｅが常時弾接することによって懸念される弾性負荷力の低下を防止でき、従動側スライダ１３を前後進させるのに必要な駆動力が徒に大きくなることもない。
【００３０】
また、固定側当接部１ａと可動側当接部１３ｅの対向面にテーパを付けたので、可動側当接部１３ｅが固定側当接部１ａから抜け出して両者の弾接が解除されるときに、弾性負荷の反力がテーパによって従動側スライダ１３の移動方向への補助力に変換されて、ディスクＤのローディング動作からプレイ状態へスムーズに移行させることができる。
【００３１】
なお、上記実施例では、ベース部材１に形成した固定側当接部１ａを弾性変形可能となした場合について説明したが、その反対に従動側スライダ１３に形成した可動側当接部１３ｅを弾性変形可能となしてもよく、あるいは固定側当接部１ａと可動側当接部１３ｅの両方を弾性変形可能となしてもよい。
【００３２】
また、上記実施例では、ベース部材１の側壁に固定側当接部１ａを形成した場合について説明したが、固定側当接部が形成される部材は従動側スライダ１３に対向するシャーシの構成部材であればベース部材１に限らず、例えばベース部材１に固着された上面板２の側面に形成することも可能である。
【図面の簡単な説明】
【００３３】
【図１】実施例に係る車載用ディスクプレーヤを表面側から見て示す斜視図である。
【図２】該ディスクプレーヤを裏面側から見て示す斜視図である。
【図３】該ディスクプレーヤに備えられるスライダとリンク機構の説明図である。
【図４】該ディスクプレーヤに備えられる従動側スライダの側面図である。
【図５】該ディスクプレーヤに備えられる負荷付与手段の要部斜視図である。
【図６】該負荷付与手段の動作説明図である。
【図７】該負荷付与手段の動作説明図である。
【図８】従来例に係るスライダとリンク機構の説明図である。
【図９】図８の従動側スライダを示す説明図である。
【図１０】従動側スライダに作用する押圧力を示す説明図である。
【符号の説明】
【００３４】
１  ベース部材（シャーシ）
１ａ  固定側当接部
１ｂ  弾性腕
３  ガイド部材
４  ローラ４
５  ローラブラケット
５ｂ  ピン
６  スプリング
１１  モータ
１２  駆動側スライダ
１２ｂ  カム孔
１３  従動側スライダ
１３ｂ  カム孔
１３ｅ  可動側当接部
１６  リンク機構
【図１】
2007310928.tif 000003
【図２】
2007310928.tif 000004
【図３】
2007310928.tif 000005
【図４】
2007310928.tif 000006
【図５】
2007310928.tif 000007
【図６】
2007310928.tif 000008
【図７】
2007310928.tif 000009
【図８】
2007310928.tif 000010
【図９】
2007310928.tif 000011
【図１０】
2007310928.tif 000012